(57)【要約】【課題】読者が書籍を所持していることを証明し、登録する仕組み、及び、書籍を所持している読者が、対応関係にあるＤＣを購入する際に割引購入できるようにする仕組みを提供することを目的とする。【解決手段】読者が所持する書籍について、認証者用端末から、書籍所持認証登録システムに、読者が書籍を所持する旨の登録を行う。書籍所持認証登録システムは、当該書籍について当該読者が所持していることを認証する書籍所持証明書を発行する。認証者は書籍所持証明書及び読者が所持する書籍に押印又は署名する。デジタルコンテンツの購入申込に際し、デジタルコンテンツ配信システムは、書籍所持認証登録システムを照合して、登録がされているデジタルコンテンツについて配信時の価格を減額計算する。【選択図】  図１
2004348296.tif 000002
【特許請求の範囲】
【請求項１】
読者が所持する書籍について当該読者が所持していることを認証するための書籍所持証明書を作成する書籍所持証明書発行手段と；
前記認証の際に前記読者が所持する書籍に付与される書籍所持本登録番号、及び前記読者が所持する書籍について書籍の内容を識別する第１の書籍識別情報を蓄積する読者所持書籍登録データベースと；
前記認証の際に、通信ネットワークを介して前記認証を行なう認証者の認証者用端末から、前記読者が所持する書籍について書籍の内容を識別する第２の書籍識別情報を受信し、
前記読者所持書籍登録データベースに、前記第２の書籍識別情報に対応する前記第１の書籍識別情報及び前記書籍所持本登録番号を記録し、
前記書籍所持証明書発行手段に、前記第１の書籍識別情報及び前記書籍所持本登録番号を記載した前記書籍所持証明書を作成させ、
前記書籍所持証明書発行手段で作成された前記書籍所持証明書を前記通信ネットワークを介して前記認証者用端末又は読者用端末に送信できる読者所持書籍登録サーバとを備える；
書籍所持認証登録システム。
【請求項２】
読者が所持する書籍について当該読者が所持していることを認証するための書籍所持証明書を作成する書籍所持証明書発行手段と；
前記認証の際に前記読者が所持する書籍に付与される書籍所持本登録番号、及び前記読者が所持する書籍について書籍の内容を識別する第１の書籍識別情報を蓄積する読者所持書籍登録データベースと；
前記読者が所持する書籍について書籍の内容を識別する第２の書籍識別情報を入力する第１の入力手段と；
前記認証の際に、前記読者所持書籍登録データベースに、前記第１の入力手段から入力された前記第２の書籍識別情報に対応する前記第１の書籍識別情報、及び前記書籍所持本登録番号を記録し、
前記書籍所持証明書発行手段に、前記第１の書籍識別情報及び前記書籍所持本登録番号を記載した前記書籍所持証明書を作成させ、
前記書籍所持証明書発行手段で作成された前記書籍所持証明書を読者用端末に送信できる読者所持書籍登録サーバとを備える；
書籍所持認証登録システム。
【請求項３】
前記書籍所持証明書発行手段は、前記読者が所持する書籍について当該読者が所持していることを仮認証するための書籍所持仮証明書を作成し；
前記読者所持書籍登録データベースは、前記仮認証の際に前記読者が所持する書籍に付与される書籍所持仮登録番号を蓄積し；
前記読者所持書籍登録サーバは、通信ネットワークを介して前記読者用端末から前記読者が所持する書籍について前記第２の書籍識別情報を受信し、
前記読者所持書籍登録データベースに、前記第２の書籍識別情報に対応する前記第１の書籍識別情報及び前記書籍所持仮登録番号を記録し、
前記書籍所持証明書発行手段に、前記第１の書籍識別情報及び前記書籍所持仮登録番号を記載した前記書籍所持仮証明書を作成させ、
前記書籍所持証明書発行手段で作成された前記書籍所持仮証明書を前記読者用端末に送信できる；
請求項１又は２に記載の書籍所持認証登録システム。
【請求項４】
前記書籍所持証明書又は前記書籍所持仮証明書を出力する第１の出力手段を備え、
前記読者所持書籍登録サーバは、前記書籍所持証明書又は前記書籍所持仮証明書を前記第１の出力手段に出力できる；
請求項１乃至３のいずれか１項に記載の書籍所持認証登録システム。
【請求項５】
請求項１乃至４のいずれか１項に記載の書籍所持認証登録システムを含んで構成され、又は請求項１乃至４のいずれか１項に記載の書籍所持認証登録システムに通信可能に接続され；
デジタルコンテンツ及びその書誌情報を蓄積するデジタルコンテンツデータベースと；
通信ネットワークを介して前記読者用端末からデジタルコンテンツの購入申込を受信し、
前記購入申込されたデジタルコンテンツ及び前記購入申込の際に提示された書籍所持本登録番号を前記読者所持書籍登録データベースに記録された書誌情報及び書籍所持本登録番号と照合し、
前記購入申込されたデジタルコンテンツと前記読者所持書籍登録データベースに記録された書籍とが対応関係にあり、前記購入申込の際に提示された書籍所持本登録番号と前記読者所持書籍登録データベースに記録された書籍所持本登録番号とが一致した場合に、特典を付与する所定の処理を行い、
前記購入申込されたデジタルコンテンツを前記デジタルコンテンツデータベースから抽出し、
前記抽出したデジタルコンテンツを前記読者用端末に配信するコンテンツ管理サーバとを備える；
デジタルコンテンツ配信システム。
【請求項６】
前記特典を付与する所定の処理は、購入申込者に配信する前記デジタルコンテンツの価格を減額計算する；
請求項５に記載のデジタルコンテンツ配信システム。
【請求項７】
読者が所持する書籍について書籍の内容を識別する第２の書籍識別情報及び前記認証者を識別する認証者識別番号を、通信ネットワークを介して読者所持書籍登録サーバに送信し、
前記読者所持書籍登録サーバから書籍所持証明書を受信する認証者用端末と；
前記認証者用端末に接続され、前記第２の書籍識別情報及び前記認証者識別番号を入力する第２の入力手段と；
前記認証者用端末に接続され、受信した前記書籍所持証明書を出力できる第２の出力手段とを備える；
認証者用システム。
【請求項８】
通信ネットワークを介して認証者用端末から、読者が所持する書籍について、書籍の内容を識別する第２の書籍識別情報を受信する工程と、読者所持書籍登録データベースに、前記第２の書籍識別情報に対応する前記第１の書籍識別情報及び書籍所持本登録番号を記録する工程と；
前記読者が所持する書籍について、当該読者が所持していることを認証するための書籍所持証明書であって、前記第１の書籍識別情報及び前記書籍所持本登録番号を記載した書籍所持証明書を作成する工程と、
前記作成した書籍所持証明書を前記通信ネットワークを介して前記認証者用端末に又は前記読者用端末に送信する、若しくは第１の出力手段から出力する工程とを含む；
書籍所持認証登録方法。
【請求項９】
読者所持書籍登録サーバに接続された第１の入力手段から、読者が所持する書籍について、書籍の内容を識別する第２の書籍識別情報を入力する工程と；
読者所持書籍登録データベースに、前記第１の入力手段から入力された前記第２の書籍識別情報に対応する前記第１の書籍識別情報及び前記書籍所持本登録番号を記録する工程と；
前記読者が所持する書籍について当該読者が所持していることを認証するための書籍所持証明書であって、前記第１の書籍識別情報及び前記書籍所持本登録番号を記載した前記書籍所持証明書を作成する工程と、
前記作成した書籍所持証明書を前記通信ネットワークを介して前記読者用端末に送信する、又は第１の出力手段から出力する工程とを含む；
書籍所持認証登録方法。
【請求項１０】
通信ネットワークを介して読者用端末から、読者が所持する書籍について、書籍の内容を識別する第２の書籍識別情報を受信する工程と、
読者所持書籍登録データベースに、前記第２の書籍識別情報に対応する前記第１の書籍識別情報及び書籍所持仮登録番号を記録する工程と；
前記読者が所持する書籍について、当該読者が所持していることを仮認証するための書籍所持仮証明書であって、前記第１の書籍識別情報及び前記書籍所持仮登録番号を記載した書籍所持仮証明書を作成する工程と、
前記作成した書籍所持仮証明書を前記通信ネットワークを介して前記読者用端末に送信する工程と；
前記読者が所持する書籍について、認証者用端末から前記書籍所持仮登録番号を受信する、又は読者所持書籍登録サーバに接続された第１の入力手段から入力された前記書籍所持仮登録番号を取得する工程と；
前記読者所持書籍登録データベースに、前記第１の書籍識別情報を記録し又は記録されていることを確認し、及び書籍所持本登録番号を記録する工程と；
前記読者が所持する書籍について、当該読者が所持していることを認証するための書籍所持証明書であって、前記第１の書籍識別情報及び前記書籍所持本登録番号を記載した書籍所持証明書を作成する工程と；
前記作成した書籍所持証明書を前記通信ネットワークを介して前記認証者用端末又は前記読者用端末に送信する、若しくは読者所持書籍登録サーバに接続された第１の出力手段から出力する工程とを含む；
書籍所持認証登録方法。
【請求項１１】
請求項８乃至１０のいずれか１項に記載の書籍所持認証登録方法を含み、又は請求項８乃至１０のいずれか１項に記載の書籍所持認証登録方法の後に行われる；
前記通信ネットワークを介して前記読者用端末からデジタルコンテンツの購入申込を受信する工程と；
前記購入申込されたデジタルコンテンツ及び前記購入申込の際に提示された書籍所持本登録番号を前記読者所持書籍登録データベースに記録された書籍情報及び書籍所持本登録番号と照合する工程と；
前記購入申込されたデジタルコンテンツと前記読者所持書籍登録データベースに記録された書籍とが対応関係にあり、前記購入申込の際に提示された書籍所持本登録番号と前記読者所持書籍登録データベースに記録された書籍所持本登録番号とが一致した場合に、特典を付与する所定の処理を行なう工程と、；
前記購入申込されたデジタルコンテンツをデジタルコンテンツデータベースから抽出する工程と；
前記抽出したデジタルコンテンツを前記通信ネットワークを介して前記読者用端末に配信する工程とを含む；
デジタルコンテンツ配信方法。
【請求項１２】
前記特典を付与する所定の処理は、購入申込者に配信する前記デジタルコンテンツの価格を減額計算する；
請求項１１に記載のデジタルコンテンツ配信方法。
【請求項１３】
請求項８乃至１０のいずれか１項に記載の書籍所持認証登録方法をコンピュータに実行させるためのプログラム。
【請求項１４】
請求項１１又は１２に記載のデジタルコンテンツ配信方法をコンピュータに実行させるためのプログラム。
【発明の詳細な説明】
【０００１】
【発明の属する技術分野】
本発明は読者所持の書籍を認証、登録するシステム及びデジタルコンテンツを配信するシステムに関する。詳しくは、読者が所持する書籍（印刷物である書籍）の所持状況を認証、登録する書籍所持認証登録システム、当該読者に対して当該書籍に対応関係にあるデジタルコンテンツ（以下ＤＣ、という）配信の際に特典を付与するデジタルコンテンツ配信システムに関する。
【０００２】
【従来の技術】
今日、書籍出版物に代わって、その内容をデジタル化したＤＣが普及しつつある。そして、ＤＣを用いることによって、書籍愛好家にとっては、これら書籍を単に読書するだけでなく、その内容へのアクセス記録、反応記録等を記録したり、記録を紐解いて再度鑑賞にふける等の利用も可能になった。さらには、読者自身のデジタル図書館を持ち、例えば「東方見聞録」に関する記述を検索したり、統計をとる等、蔵書を色々な面から利用することも可能になった（特許文献１、２参照）。
【０００３】
ＤＣプレーヤー（出版物のデジタルコンテンツを表示・表音インタフェースで出力するソフトウエアツール）が本格的に読者に利用されるようになると、出版社はＤＣプレーヤー用のＤＣを製作して販売するようになる。なお、ＤＣには、文字、図面等を対象とするビジュアルコンテンツ（Ｖｉｓｕａｌ  Ｃｏｎｔｅｎｔｓ  以下ＶＣという）、音を対象とするオーラルコンテンツ（Ａｕｒａｌ  Ｃｏｎｔｅｎｔｓ  以下ＡＣという）、ＶＣとＡＣを併用したマルチモーダルコンテンツ（Ｍｕｌｔｉ−Ｍｏｄａｌ  Ｃｏｎｔｅｎｔｓ  以下ＭＣという）がある。
【０００４】
出版社は、新刊書籍の場合は書籍とＤＣを同時発売することもあるが、既刊書籍についてＤＣを追加販売することが一般的になるものと想定される。例えば、吉川英治作「宮本武蔵」が、ＮＨＫの大河ドラマに登場するのを機会に、再度販売を伸ばそうとするような場合がその例といえる。この場合、吉川英治作「宮本武蔵」の文集全巻を所蔵している読者は、これをＶＣ、ＡＣ，ＭＣで所蔵したいと欲する可能性がある。また、既にＶＣを所蔵しているがさらにＡＣで所蔵したいと欲する可能性がある。
【０００５】
既に該書籍を所有している読者は、この際にＤＣを購入したいと考えるが、該書籍を所有しない人と同じ条件（価格）でしか買えないとすると二の足を踏むことが多いと考えられる。そこで、既に書籍を購入済みの読者に対しては、ＤＣも入手したいと思うような価格に割引する等の特典を付与して販売する仕組みを設けて、読者の要望に応えるとともに、出版社にとっても再購入機会創出の恩恵を受けることが可能になる。
【０００６】
一方、ＤＣの配信業者や出版業者にとっては、読者が所有する書籍を登録する仕組みを設けて、読者がどんな書籍を所蔵しているかを把握できれば、読者の嗜好や社会の需要を分析でき、新しいＤＣを配信、出版していく上で大いに参考になる。
しかし、ＤＣの利用法が未成熟であったため、現状ではこのような課題を解決する仕組みは未だ実現されていない。
【０００７】
【特許文献１】特開２００２−９１９５５号公報（段落００３１−００４９、図１−図４）
【特許文献２】特開２００２−９９７４４号公報（段落００１３−００４２、図１−図２）
【０００８】
【発明が解決しようとする課題】
本発明は、読者が書籍を所持していることを証明し、登録する仕組み（システム及び方法）を提供することを目的とする。また、上記仕組みを利用して、コンテンツプロバイダー（出版業者、出版物流通業者など）が読者の嗜好やニーズに関する情報を入手し、ＤＣコンテンツ出版の参考となる情報を収集できるようにすることを目的とする。
また、本発明は、既刊書籍を購入済みの読者が、該書籍と対応関係にあるＤＣを購入する際に割引購入等の特典を受けられるようにする仕組み（システム及び方法）を提供することを目的とする。
【０００９】
【課題を解決するための手段】
上記課題を解決するために、請求項１に記載の書籍所持認証登録システムは、読者が所持する書籍８について当該読者が所持していることを認証するための書籍所持証明書を作成する書籍所持証明書発行手段１３と、前記認証の際に前記読者が所持する書籍に付与される書籍所持本登録番号、及び前記読者が所持する書籍について書籍の内容を識別する第１の書籍識別情報を蓄積する読者所持書籍登録データベース１０と、前記認証の際に、通信ネットワーク５を介して前記認証を行なう認証者の認証者用端末１４から、前記読者が所持する書籍８について書籍の内容を識別する第２の書籍識別情報を受信し、前記読者所持書籍登録データベース１０に、前記第２の書籍識別情報に対応する前記第１の書籍識別情報及び前記書籍所持本登録番号を記録し、前記書籍所持証明書発行手段１３に、前記第１の書籍識別情報及び前記書籍所持本登録番号を記載した前記書籍所持証明書を作成させ、前記書籍所持証明書発行手段１３で作成された前記書籍所持証明書を前記通信ネットワーク５を介して前記認証者用端末１４又は読者用端末６に送信できる読者所持書籍登録サーバ９とを備える。
【００１０】
このように構成すると、読者が書籍を所持していることを証明し、登録するシステムを提供できる。すなわち、読者は、自己が所持する書籍を認証者の所に持参し、認証者は、読者が当該書籍を所持することを認証し、その旨を認証者用端末から書籍所持認証登録システムに登録し、同システムから書籍所持証明書を発行してもらい、書籍所持証明書に認証印を付して読者に渡す。かかるプロセスを本システムを用いることにより実行できる。また、認証者が読者所持書籍に押印又は署名することにより、二重登録を防止するのが望ましい。ＤＣの配信業者及び出版業者は、登録された読者所持書籍データを基に読者の嗜好や社会の需要を分析でき、ＤＣ発行の参考にできる。ひいては、書籍を所持している読者に、当該書籍と対応関係にあるＤＣを割引販売する等の特典を供与する仕組みの提供に資することができる。
【００１１】
ここで、認証者は、書籍所有証明機関と当該機関を代理して認証を行う認証代理人に分けられる。書籍所有証明機関にはデジタルコンテンツ配信業者等が、認証代理人には書店等が想定される。また、書籍所持証明書発行手段１３が作成する書籍所持証明書には、電子押印や電子署名で認証処理されているものの他に、プリンタから出力された後に認証者の押印や署名が付されるものも含まれるものとする。また、第１の書籍識別情報としてＩＳＢＮ（Ｉｎｔｅｒｎａｔｉｏｎａｌ  Ｓｔａｎｄａｒｄ  Ｂｏｏｋ  Ｎｕｍｂｅｒ：国際標準図書番号）等の書籍識別番号を採用することが好ましい。第２の書籍識別情報としてもＩＳＢＮ等の書籍識別番号を採用することが望ましいが、書籍識別番号を認識できない場合等には、題名や著者等を第２の書籍識別情報として使用する。また、「送信できる」とあるのは、書籍所持証明書をシステムのプリンタに出力し、押印して送付する等、送信しない場合もありうるからである。なお、送信する場合は、書籍所持証明書に電子押印や電子署名で認証処理されていることが好ましい。
【００１２】
請求項２に記載の書籍所持認証登録システムは、読者が所持する書籍８について当該読者が所持していることを認証するための書籍所持証明書を作成する書籍所持証明書発行手段１３と、前記認証の際に前記読者が所持する書籍８に付与される書籍所持本登録番号、及び前記読者が所持する書籍について書籍の内容を識別する第１の書籍識別情報を蓄積する読者所持書籍登録データベース１０と、前記読者が所持する書籍について書籍の内容を識別する第２の書籍識別情報を入力する第１の入力手段１５と、前記認証の際に、前記読者所持書籍登録データベース１０に、前記第１の入力手段１５から入力された前記第２の書籍識別情報に対応する前記第１の書籍識別情報、及び前記書籍所持本登録番号を記録し、前記書籍所持証明書発行手段１３に、前記第１の書籍識別情報及び前記書籍所持本登録番号を記載した前記書籍所持証明書を作成させ、前記書籍所持証明書発行手段１３で作成された前記書籍所持証明書を読者用端末６に送信できる読者所持書籍登録サーバ９とを備える。
【００１３】
このように構成すると、読者は書籍所有証明機関にまとめて自己が所持する書籍を送付し、まとめて登録を受けられ、まとめて書籍所持証明書を取得できる。書籍所有証明機関はシステムに書籍情報等をまとめて入力し、まとめて書籍所持証明書を発行し、まとめて読者に送信する、あるいは、書籍所持証明書をシステムのプリンタに出力し、押印して送付することができる。なお、認証代理人がまとめて処理する場合のシステムは請求項１に該当する。
【００１４】
請求項３に記載の書籍所持認証登録システムは、請求項１又は２に記載の書籍所持認証登録システムにおいて、前記書籍所持証明書発行手段１３は、前記読者が所持する書籍８について当該読者が所持していることを仮認証するための書籍所持仮証明書を作成し、前記読者所持書籍登録データベース１０は、前記仮認証の際に前記読者が所持する書籍に付与される書籍所持仮登録番号を蓄積し、前記読者所持書籍登録サーバ９は、通信ネットワーク５を介して前記読者用端末６から前記読者が所持する書籍８について前記第２の書籍識別情報を受信して、前記読者所持書籍登録データベース１０に、前記書籍所持仮登録番号及び前記第１の書籍識別情報を記録し、前記書籍所持証明書発行手段１３に、前記第１の書籍識別情報及び前記書籍所持仮登録番号を記載した前記書籍所持証明書を作成させ、前記書籍所持証明書発行手段１３で作成された前記書籍所持仮証明書を前記読者用端末に送信できる。
【００１５】
このように構成すると、読者が書籍を所持していることを仮登録するシステムを提供できる。読者は、本登録の手続を後に行なうことを条件として、自己の端末から手軽に仮登録手続を行なうことにより、本登録とほぼ同様のメリットを得られる。デジタルコンテンツの配信業者及び販売業者は、早めに読者所持書籍データを得ることができる。
【００１６】
請求項４に記載のデジタルコンテンツ配信システムは、請求項１乃至３のいずれか１項に記載の書籍所持認証登録システムにおいて、前記書籍所持証明書又は前記書籍所持仮証明書を出力する第１の出力手段１６を備え、前記読者所持書籍登録サーバ９は、前記書籍所持証明書又は前記書籍所持仮証明書を前記第１の出力手段１６に出力できる。
【００１７】
ここで、第１の出力手段１６はプリンタやＩＣカードライター等である。このように構成すると、書籍所持認証登録システムに接続されたプリンタから書籍所持証明書を出力して読者に送付する、又はＩＣカードライターからＩＣカードに書籍所持証明書を出力して読者に送付する等が可能となる。プリンタに出力する場合は、書籍所有証明機関が押印又は署名して読者に送付する。なお、ＩＣカードに出力する場合は、書籍所持証明書に電子押印や電子署名で認証処理されていることが好ましい。
【００１８】
請求項５に記載のデジタルコンテンツ配信システムは、請求項１乃至４のいずれか１項に記載の書籍所持認証登録システムを含んで構成され、又は請求項１乃至３のいずれか１項に記載の書籍所持認証登録システムに通信可能に接続され、デジタルコンテンツ及びその書誌情報を蓄積するデジタルコンテンツデータベース２と、通信ネットワーク５を介して前記読者用端末６からデジタルコンテンツの購入申込を受信し、前記購入申込されたデジタルコンテンツ及び前記購入申込の際に提示された書籍所持本登録番号を前記読者所持書籍登録データベース１０に記録された書誌情報及び書籍所持本登録番号と照合し、前記購入申込されたデジタルコンテンツと前記読者所持書籍登録データベース１０に記録された書籍とが対応関係にあり、前記購入申込の際に提示された書籍所持本登録番号と前記読者所持書籍登録データベース１０に記録された書籍所持本登録番号とが一致した場合に、特典を付与する所定の処理を行い、前記購入申込されたデジタルコンテンツを前記デジタルコンテンツデータベース２から抽出し、前記抽出したデジタルコンテンツを前記読者用端末６に配信するコンテンツ管理サーバ１とを備える。
【００１９】
ここで、「書籍所持認証登録システムを含んで構成され」とは、当該デジタルコンテンツ配信システムは、書籍所持認証登録システムの全ての構成要素を備えることであり、したがって、書籍所持認証登録システムの全ての機能を併せ持つことである。この場合、コンテンツ管理サーバ１が読者所持書籍登録サーバ９を内包し、その機能を兼ね備えることが望ましい。デジタルコンテンツ配信システムの中に、書籍所持認証登録システムの機能を取り込んでいるので、両システムでデータを共用でき、登録から配信までの一貫した処理が可能になる。また、「書籍所持認証登録システムに通信可能に接続され」とは、デジタルコンテンツ配信システムと書籍所持認証登録システムとは、別個にシステム構成され、通信ネットワーク５等を介して通信可能であることを意味する。この場合、コンテンツ管理サーバ１が読者所持書籍登録サーバ９を介して読者所持書籍登録データベース１０にアクセスする。両システム間でデータを送受信でき、登録から配信までの連携した処理が可能になる。
【００２０】
ここで、対応関係にあるとは、読者所持書籍登録データベースに記録された書籍に基づいてデジタルコンテンツが製作されていることをいう。内容が同一であるかほぼ同一であるもの、加筆・修正されているが、当該書籍が原典であることが明らかなものを含む。さらに、題名、著者及び出版社が共通するものを含む。なお、対応関係の範囲については、題名が同じと見なされるもの全てを含めるか、出版社が同じものに限るか等、ある程度、書籍所有証明機関の裁量により定められるものである。また、特典を付与する所定の処理を行うために、購入申込者と書籍所持者の一致を条件としていない。ＤＣの配信業者や出版業者にとって、誰が所持しているかより、どれだけ所持されているかが重要な情報だからである。
【００２１】
請求項６に記載のデジタルコンテンツ配信システムによれば、請求項５に記載の特典を付与する所定の処理は、購入申込者に配信する前記デジタルコンテンツの価格を減額計算する。
【００２２】
このように構成すると、書籍を所持している読者に、当該書籍と対応関係にあるＤＣを割引販売する仕組みを提供できる。また、かかる仕組みの提供により、ＤＣの配信業者及び出版業者にとって販売促進の効果を期待できる。
【００２３】
請求項７に記載の認証者用システムによれば、読者が所持する書籍について書籍の内容を識別する第２の書籍識別情報及び前記認証者を識別する認証者識別番号を、通信ネットワーク５を介して読者所持書籍登録サーバ９に送信し、前記読者所持書籍登録サーバ９から書籍所持証明書を受信する認証者用端末１４と、前記認証者用端末１４に接続され、前記第２の書籍識別情報及び前記認証者識別番号を入力する第２の入力手段１７と、前記認証者用端末１４に接続され、受信した前記書籍所持証明書を出力できる第２の出力手段１８とを備える。
【００２４】
このように構成すると、読者が書籍を所持していることを証明し、登録するために認証代理人が使用する認証者用システムを提供できる。
【００２５】
請求項８に記載の書籍所持認証登録方法によれば、通信ネットワーク５を介して認証者用端末１４から、読者が所持する書籍８について、書籍の内容を識別する第２の書籍識別情報を受信する工程（Ｓ３３，Ｓ３５）と、読者所持書籍登録データベース１０に、前記第２の書籍識別情報に対応する前記第１の書籍識別情報及び書籍所持本登録番号を記録する工程（Ｓ３７）と、前記読者が所持する書籍８について、当該読者が所持していることを認証するための書籍所持証明書であって、前記第１の書籍識別情報及び前記書籍所持本登録番号を記載した書籍所持証明書を作成する工程（Ｓ３８）と、前記作成した書籍所持証明書を前記通信ネットワーク５を介して前記認証者用端末１４に又は前記読者用端末６に送信する、若しくは第１の出力手段１６に出力する工程（Ｓ３９）とを含む。
【００２６】
このような方法にすると、読者が書籍を所持することを証明し、登録する方法を提供できる。すなわち、読者は、自己が所持する書籍を認証者の所に持参し、認証者は、読者が当該書籍を所持することを認証し、その旨を認証者用端末１４から書籍所持認証登録システムに登録し、同システムから書籍所持証明書を発行してもらい、書籍所持証明書に認証印を付す等をして読者に渡す。ＤＣの配信業者及び出版業者は、登録された読者所持書籍データを基に読者の嗜好・需要を分析でき、ＤＣ発行の参考にできる。ここで、第１の出力手段１６は、プリンタ、ＩＣカードライター等である。
【００２７】
書籍所持証明書を認証者用端末１４又は読者用端末６に送信する場合、及びＩＣカードライターから出力する場合は、書籍所持証明書に電子押印や電子署名で認証処理されていることが好ましい。また、書籍所持証明書を書籍所持認証登録システムのプリンタに出力する場合は、書籍所有証明機関が押印又は署名して送付する。また、認証者が読者所持書籍に押印又は署名することにより、二重登録を防止するのが望ましい。
【００２８】
請求項９に記載の書籍所持認証登録方法によれば、読者所持書籍登録サーバ９に接続された第１の入力手段１５から、読者が所持する書籍８について、書籍の内容を識別する第２の書籍識別情報を入力する工程（Ｓ７２、Ｓ７４）と、読者所持書籍登録データベース１０に、前記第１の入力手段１５から入力された前記第２の書籍識別情報に対応する前記第１の書籍識別情報及び前記書籍所持本登録番号を記録する工程（Ｓ７７）と、前記読者が所持する書籍８について当該読者が所持していることを認証するための書籍所持証明書であって、前記第１の書籍識別情報及び前記書籍所持本登録番号を記載した前記書籍所持証明書を作成する工程（Ｓ７８）と、前記作成した書籍所持証明書を前記通信ネットワーク５を介して前記読者用端末６に送信する、又は前記読者所持書籍登録サーバ９に接続された第１の出力手段１６から出力する工程（Ｓ６５）とを含む。
【００２９】
このような方法にすると、読者は書籍所有証明機関にまとめて自己が所持する書籍を送付し、まとめて認証、登録を受けられる。書籍所有証明機関もまとめて処理できる。
【００３０】
請求項１０に記載の書籍所持認証登録方法によれば、通信ネットワーク５を介して読者用端末６から、読者が所持する書籍８について、書籍の内容を識別する第２の書籍識別情報を受信する工程（Ｓ５３，Ｓ５５）と、読者所持書籍登録データベース１０に、前記第２の書籍識別情報に対応する前記第１の書籍識別情報及び書籍所持仮登録番号を記録する工程（Ｓ５７）と、前記読者が所持する書籍８について、当該読者が所持していることを仮認証するための書籍所持仮証明書であって、前記第１の書籍識別情報及び前記書籍所持仮登録番号を記載した書籍所持仮証明書を作成する工程（Ｓ５８）と、前記作成した書籍所持仮証明書を前記通信ネットワーク５を介して前記読者用端末６に送信する工程（Ｓ５９）と、前記読者が所持する書籍８について、認証者用端末１４から前記書籍所持仮登録番号を受信する、又は読者所持書籍登録サーバ９に接続された第１の入力手段１５から前記書籍所持仮登録番号を取得する工程と、前記読者所持書籍登録データベース１０に、前記第１の書籍識別情報を記録し又は記録されていることを確認し、及び書籍所持本登録番号を記録する工程（Ｓ３７）と、前記読者が所持する書籍８について、当該読者が所持していることを認証するための書籍所持証明書であって、前記第１の書籍識別情報及び前記書籍所持本登録番号を記載した書籍所持証明書を作成する工程（Ｓ３８）と、前記作成した書籍所持証明書を前記通信ネットワーク５を介して前記認証者用端末１４又は前記読者用端末６に送信する、若しくは読者所持書籍登録サーバ９に接続された第１の出力手段１６から出力する工程（Ｓ３９）とを含む。
【００３１】
このような方法にすると、読者は、本登録の手続を後に行なうことを条件として、自己の端末６から手軽に仮登録手続を行なうことにより、書籍所持仮証明書が発行される。この書籍所持仮証明書により、書籍所有証明機関や認証代理人は、読者から提示された書籍の第１の書籍識別情報の入力操作をスキップして、本登録、書籍所持証明書発行が可能になる。また、仮登録の段階で、読者所持の書籍のデータが入手できることから、ＤＣの配信業者及び販売業者は、早めに読者所持書籍データを得ることができる。
【００３２】
請求項１１に記載のデジタルコンテンツ配信方法によれば、請求項８乃至１０のいずれか１項に記載の書籍所持認証登録方法を含み、又は請求項８乃至１０のいずれか１項に記載の書籍所持認証登録方法の後に行われる、前記通信ネットワーク５を介して前記読者用端末６からデジタルコンテンツの購入申込を受信する工程（Ｓ１５）と、前記購入申込されたデジタルコンテンツ及び前記購入申込の際に提示された書籍所持本登録番号を前記読者所持書籍登録データベース１０に記録された書籍情報及び書籍所持本登録番号と照合する工程（Ｓ１６）と、前記購入申込されたデジタルコンテンツと前記読者所持書籍登録データベース１０に記録された書籍とが対応関係にあり、前記購入申込の際に提示された書籍所持本登録番号と前記読者所持書籍登録データベース１０に記録された書籍所持本登録番号とが一致した場合に、特典を付与する所定の処理を行なう工程（Ｓ１７）と、前記購入申込されたデジタルコンテンツをデジタルコンテンツデータベース２から抽出する工程（Ｓ１８）と、前記抽出したデジタルコンテンツを前記通信ネットワーク５を介して前記読者用端末６に配信する工程（Ｓ１９）とを含む。
【００３３】
このような方法にすると、読者所持書籍の登録からデジタルコンテンツ配信までの一貫した配信方法を提供できる。また、「書籍所持認証登録方法を含み」とは、当該デジタルコンテンツ配信方法は、書籍所持認証登録方法の全ての工程を含むことである。ただし、工程の順序は、配信方法の工程の後に、登録方法の一部の工程を行っても良い。また、「書籍所持認証登録方法の後に行われ」とは、書籍所持認証登録方法の全ての工程を行った後に、当該デジタルコンテンツ配信方法の工程を行うことを条件とする。
【００３４】
請求項１２に記載のデジタルコンテンツ配信方法によれば、請求項１１に記載に記載の特典を付与する所定の処理は、前記購入申込者に配信する当該デジタルコンテンツの価格を減額計算（Ｓ１７）する。
【００３５】
このような方法にすると、書籍を所持している読者に、当該書籍と対応関係にあるＤＣを割引販売する仕組みを提供できる。また、かかる仕組みの提供により、ＤＣの配信業者及び出版業者にとって販売促進の効果を期待できる。
【００３６】
請求項１３に記載のプログラムは、請求項８乃至１０のいずれか１項に記載の書籍所持認証登録方法をコンピュータに実行させるためのプログラムである。
【００３７】
請求項１４に記載のプログラムは、請求項１１又は１２に記載のデジタルコンテンツ配信方法をコンピュータに実行させるためのプログラムである。
【００３８】
これらのプログラムをコンピュータに読み込ませることにより、コンピュータを読者所持の書籍を登録する書籍所持認証登録システムのサーバ、デジタルコンテンツを配信するデジタルコンテンツ配信システムのサーバとして機能させることができる。
【００３９】
【発明の実施の形態】
以下に図面に基づき本発明の実施の形態について説明する。なお、本来のＤＣは広範に亘るが、本実施の形態では、書籍に係る範囲に限定し、いわゆる映像（映画、ビデオを含む）、音楽に係るものは扱わないものとする。したがって、ＶＣは書籍中の文字、挿絵、写真等をテキストや画像に電子データ化して目に見えるようにしたものであり、ＡＣは書籍中の文字を音声に電子データ化して耳に聞こえるようにしたものである。また、書籍中の画像の一部を動画とする場合や書籍中で歌や音楽演奏や周囲の音が入る場合には、ここで扱うＶＣやＡＣに含めることとする。ＶＣとＡＣを併用するＭＣも本発明の実施対象である。
【００４０】
［第１の実施の形態］
まず、第１の実施の形態として、読者が所持する書籍について、認証者用端末から、書籍所持認証登録システムに登録する例を説明する。また、書籍所持認証登録システムは書籍所有証明機関が管理し、デジタルコンテン配信システムはデジタルコンテンツ配信業者が管理するものとする。
【００４１】
図２に本実施の形態によるデジタルコンテン配信システムのシステム構成例を示す。図２において、１はデジタルコンテンツ配信業者のコンテンツ管理サーバ、２は配信業者の商品であるＤＣの内容をデジタルデータで収録し、その書誌情報を蓄積したデジタルコンテンツデータベース（以下データベースをＤＢという）、３はＤＣの読者情報を蓄積した読者情報ＤＢ、４は配信業者の商品であるＤＣの配信状況を管理する配信管理ＤＢ、５は通信ネットワーク（図にＮＷと示す）、６は読者用端末、７は読者が所持するＤＣを蓄積し、パーソナルコンピュータ端末６からアクセスして見聞等するためのデジタルコンテンツライブラリ（個人図書館）、８は読者が所持する書籍（印刷物）である。
【００４２】
配信業者はデジタルコンテンツＤＢ２に蓄積しているＤＣのリストと書誌情報を通信ネットワーク５上でホームページに公開する。読者は読者用端末（パーソナルコンピュータ端末）６から通信ネットワーク５を介して配信業者のホームページにアクセスし、ガイダンスに従ってコンテンツ管理サーバ１にアクセスし、デジタルコンテンツＤＢ２に蓄積されたＤＣのリスト、書誌情報（抄録を含む）を表示画面上で見たり、書誌情報が音声で蓄積されている場合には音声で聞いたりできる。
【００４３】
図３にデジタルコンテンツＤＢ２の書誌情報部分の構成例を示す。コンテンツ番号、コンテンツ種別（ＶＣ、ＡＣ、ＭＣ）、書籍識別番号、題名、著者、編集者、出版社、版、価格、発行予定日（発行前の時）と抄録等が記録されている。コンテンツ番号はＤＣの内容を識別する番号である。表示画面には各ＤＣについて購入申込チェックボックス（図示しない）が併せて表示される。読者はＤＣのリストや書誌情報（抄録を含む）を参考に購読したいＤＣを抽出し、購入申込チェックボックスにチェックを入れ、送信ボタンをクリックすることにより、通信ネットワーク５を介して配信すなわち購入（発売前の場合には予約）の申し込みをする。
【００４４】
購入申込する場合には、会員登録がされている必要がある。読者が送信ボタンをクリックすると、ユーザ登録番号とパスワードの入力或いは会員登録を求められる。会員登録用のボタンをクリックすると、読者に関する書誌情報の入力を求められる。氏名、住所、ＴＥＬ、ＦＡＸ、端末（機種、ＯＳ）、Ｅ−ＭＡＩＬ、性別、生年月日、銀行口座番号、職業等の入力を求められ、入力するとユーザ登録番号が通知され、パスワードの入力と確認を求められる。パスワードを再入力して確認することによりパスワードが定まる。
【００４５】
図４に読者情報ＤＢの構成例を示す。構成例の項目には必須項目、参考項目が含まれる。会員登録で入力した内容が読者情報ＤＢに記録される。
【００４６】
会員登録済みの場合には、ユーザ登録番号とパスワードを入力すると、読者の氏名、住所、銀行口座番号、購入申込に係るＤＣの題名、価格等が掲載された確認画面が表示され、配信管理ＤＢ４に購入申込番号とこれらの内容が記録される。
【００４７】
図５に配信管理ＤＢ４の構成例を示す。購入申込番号、ユーザ登録番号、読者氏名、コンテンツ番号、コンテンツ種別（ＶＣ、ＡＣ、ＭＣ）、書籍識別番号、題名、著者、編集者、出版社、版、価格、発行予定日、配信日等の項目がある。デジタルコンテンツＤＢ２の書誌情報の例と比較すると、抄録の欄が削除され、購入申込番号、ユーザ登録番号、読者氏名、配信日の欄が追加されている。購入申込番号は配信管理ＤＢ４への購入申込順に自動採番される。
【００４８】
読者は確認ボタンをクリックし、ダウンロード先のフォルダを指定すると、ＤＣがデジタルコンテンツＤＢ２から抽出され、コンテンツ管理サーバ１から指定されたフォルダにダウンロードされる。ダウンロードされると、配信管理ＤＢ４に配信日が記録される。ダウンロードの後日、読者に購入申込番号、題名、銀行口座またはクレジットカードからの引き落とし価格、引き落とし日等が記載され、領収印が押印された利用明細書が送付される。
【００４９】
発行前の場合には、配信管理ＤＢ４に発行予定日が記録される（配信日は未入力）。コンテンツ管理サーバ１は配信管理ＤＢ４を管理し、ＤＣ入荷時に予約した読者の電子メールにダウンロードが可能になった旨の連絡がされる。読者は前述の購入申込チェックボックスからのダウンロードの操作が可能になる。
【００５０】
記録装置の容量が大きくなり、パーソナルコンピュータの処理速度が速くなった現状では、読者はＤＣに関して個人のライブラリ（個人図書館）７を所蔵できるようになった。このライブラリには特定の配信業者から通信ネットワーク５を介して購入したＤＣの他に、他の配信業者から通信ネットワーク５を介して購入したＤＣやＣＤ−ＲＯＭで購入したＤＣも含まれ得る。このような個人図書館７は、豊富に所有できるデジタルコンテンツの中から目的とするコンテンツに検索により効率的に到達でき、新しいメディアであるデジタルコンテンツプレーヤーによりコンテンツを見聞し、鑑賞できるだけでなく、読者がアクセスしたコンテンツについてのアクセス情報（アクセス日、アクセス回数等）やリアクション情報（マーキング、印象、メモ等）を記録し、再活用することが可能である。このような活用によって、読者はデジタルコンテンツについて鑑賞の味わいを深め、より豊かな文化活動を謳歌することができる。
【００５１】
しかしながら、読者の蔵書には、ＤＣでない印刷された既刊の書籍も含まれる。そして、個人図書館７を所持する読者は、これらの印刷された書籍も早く個人図書館７に取り込んで利用したいと考えるであろう。あるいは蔵書の占める空間や重量を省スペース化するために、ＤＣに代えたいと考える場合もあろう。また、既に書籍を購入済みの読者に対しては、対応関係にある書籍を所有しない人よりも良い条件で買えるように、例えば、価格を割引する等の特典を付与して販売すれば、読者は購入し易くなるであろう。
【００５２】
他方、ＤＣの配信業者や出版業者にとって、読者個人が所持する既刊の印刷本のデータを、多くの読者について集積すれば、読者の嗜好や需要を分析でき、有用である。そこで、これら読者所蔵の書籍データを収集したいと思う配信業者や出版業者は少なくないと思われる。
【００５３】
そこで、読者に対し、ＤＣの割引等の特典を付与することを条件として、読者が所蔵する書籍を登録してもらえば、ＤＣを今後発行していく場合の参考資料として役立てることができ、また、ＤＣ販売促進の効果が期待される。本発明はこのような読者所持書籍の登録を行う書籍所持認証登録システム、方法及び、これに関連して、登録した読者にＤＣの料金を割り引き配信する等の特典を付与する（特典を付与する所定の処理を行なう）デジタルコンテンツ配信システムに関するものである。
【００５４】
図１に第１の実施の形態に係る書籍所持認証登録システムの構成例を示す。図において、９は読者所持書籍登録サーバ、１０は読者が所持する書籍の情報を蓄積した読者所持書籍登録ＤＢ、１１は書籍に係る書誌情報を蓄積した書籍ＤＢである。書籍ＤＢ１１として市販の書籍に係る書誌情報を蓄積したＤＢを用いても良いが、できるだけ多くの書籍を網羅していることが好ましい。読者所持書籍登録ＤＢ１０に登録すべき書籍として、書籍ＤＢ１１に蓄積されていない新規な書籍が発生した場合には、将来の利用のために、読者所持書籍登録ＤＢ１０に記録したのと同じ書籍データを書籍ＤＢ１１にも記録することが好ましい。３は読者（顧客）情報を蓄積した読者情報ＤＢで、ここでは、デジタルコンテンツ配信システムの読者情報ＤＢを利用する。なお、独立の読者情報ＤＢを用いることも可能である。１２は認証（主に認証代理人）に関する情報を蓄積した認証者ＤＢ、１３は読者が所持する書籍を登録した読者に読者所持書籍証明書を発行する書籍所持証明書発行手段、５は通信ネットワーク（図ではＮＷと表示）、１４は認証代理人が登録等を行なうために使用する認証者用端末、１５は本登録システムに書籍情報等を入力する第１の入力手段、１６は本登録システムから読者所持書籍証明書等を出力する第１の出力手段、１７は認証者用端末１４に接続され書籍情報等を入力する第２の入力手段、１８は認証者用端末１４に接続され読者所持書籍証明書等を出力する第２の出力手段である。なお、本実施の形態では、読者用端末６、第１の入力手段１５と第１の出力手段１６は必ずしも必要ない。
【００５５】
図１と図２を合わせると、共通の通信ネットワーク５に、コンテンツ管理サーバ１、読者所持書籍登録サーバ９、認証者用端末１４及び読者用端末６が接続され、相互に通信可能であることがわかる。コンテンツ管理サーバ１と読者所持書籍登録サーバ９とは、互いにサーバを介して相手方のＤＢにアクセス可能であり、例えばコンテンツ管理サーバ１は読者所持書籍登録ＤＢ１０に、読者所持書籍登録サーバ９は読者情報ＤＢ３にアクセスできる。実際はデジタルコンテンツ配信業者が書籍所有証明機関となる場合が多いと思われ、この場合には書籍所持認証登録システムとデジタルコンテンツ配信システムで共通の会員登録が可能で、ユーザ登録番号、パスワードを共通にできる。本実施の形態では、簡単のため、ユーザ登録番号、パスワードを共通として説明する。
【００５６】
既刊の書籍８を所持し、当該書籍８に対応関係にあるＤＣの入手を望む読者は、書店等の認証代理人のところに自己が所持する書籍８を持参し、登録してもらう。すなわち、読者所持書籍登録ＤＢ１０に記録してもらう。これにより、読者は書籍所持証明書を入手でき、当該書籍８に対応関係にあるＤＣを購入する際に料金を割り引いてもらう等の特典を受けることができる。対応関係にあるとは、登録された書籍８を原典としてＤＣが製作されていることをいう。すなわち、内容が同一であるかほぼ同一であるもの、加筆・修正されているが、当該書籍が原典であることが明らかなものを含む。さらに、題名、著者及び出版社が共通するものを含む。なお、対応関係の範囲については、題名が同じと見なされるもの全てを含めるか、出版社が同じものに限るか等、ある程度、書籍所有証明機関の裁量により定められる。また、割引する書籍の範囲拡大の程度、額についてはデジタルコンテンツ配信業者が時と事情に応じて変更しうるものである。
【００５７】
図６に読者所持書籍の本登録手続の手順を示す。まず、読者は自己が所持する書籍８を書店、古本屋、図書館、コンビニエンスストア等の認証代理人のところに持参し、本登録を依頼する（ステップＳ１）。認証代理人は、読者が所持した書籍が未認証の書籍であることを目視チェックで確認する（ステップＳ２）。次に認証代理人は、書籍所有証明機関に対して、書籍所持証明書の取得手続きを実行する。自己の認証者用端末１４から配信業者のホームページを介して、読者所持書籍登録サーバ９にアクセスする（ステップＳ３）。認証代理人はアクセスの際に認証者登録番号とパスワードの入力を求められる。認証者登録番号とパスワードは予め書籍所有証明機関により割り当てられている。認証者登録番号とパスワードを入力すると、読者所持書籍登録サーバ９は認証者ＤＢ１２と照合する（ステップＳ３１）。
【００５８】
図７に認証者ＤＢ１２の構成例を示す。認証者登録番号、パスワード、認証者（店名、代表者）、住所，ＴＥＬ、ＦＡＸ、端末（機種、ＯＳ）、Ｅ−ＭＡＩＬ、備考、認証印等が記録されている。認証印はイメージ画像として記録される。構成例の項目には必須項目、参考項目が含まれる。照合結果が一致すると、すなわち認証者である事が認められると、コンピュータ端末１４に、読者所持書籍を本登録するための画面が表示される。
【００５９】
書籍所持の本登録（ステップＳ４）の手順を図６のステップＳ３２〜Ｓ３７に示す。読者のユーザ登録番号、氏名の入力は必須ではないが、読者の了解があれば入力を行う（ステップＳ３２）。入力は認証者が行なうが、認証者の管理下で読者本人が行なっても良い。入力を行うと、読者所持書籍登録サーバ９は入力されたユーザ登録番号と氏名を受信して、読者情報ＤＢ３と照合し（ステップＳ３３）、照合結果が一致すると、コンピュータ端末１４の表示画面では、登録対象書籍に関する情報の入力を求められる。読者のユーザ登録番号、氏名の入力画面からスキップボタンをクリックすることによっても、登録対象書籍に関する情報の入力画面が表示される。読者のユーザ登録番号、氏名の入力を必須としないのは、読者のプライバシーの保護の観点への配慮とともに、ＤＣの出版業者や配信業者にとって、登録対象書籍を誰が所持しているかよりもどれだけ所持されているかが重要な情報だからである。また、どれだけ所持されているかがわかれば、ＤＣ販売に対する書籍所持者の関与の程度がわかる。他方、読者のユーザ登録番号がわかれば、ＤＣ発行の際の通知に便宜である。
【００６０】
登録対象書籍に関する情報として、書籍識別番号を入力する。書籍識別番号が不明の時は、題名、著者、編集者、出版社、版、発行日等の書誌情報を入力する（ステップＳ３４）。書籍の内容を識別する第２の書籍識別情報として、ＩＳＢＮ（国際標準図書番号：Ｉｎｔｅｒｎａｔｉｏｎａｌ  Ｓｔａｎｄａｒｄ  Ｂｏｏｋ  Ｎｕｍｂｅｒ）等の書籍識別番号を用いるのが望ましいが、不明な場合には、題名と著者の組み合わせ、或いは題名、著者と出版者との組合せを第２の書籍識別情報に該当すると見なしても良く、書籍の内容を識別できれば良い。入力は認証代理人が行なう。読者所持書籍登録サーバ９は、入力された書誌情報を受信し、受信された書誌情報と書籍ＤＢ１１に記録された書誌情報とを照合して（ステップＳ３５）、同じ書籍の情報が既に記録されていれば、これと同一の書籍識別番号を付与し、記録されていなければ、新たな書籍識別番号を付与する。こうして付与された書籍識別番号が、第２の書籍識別番号と対応し、書籍の内容を識別する第１の識別情報に該当する。
【００６１】
図８に書籍ＤＢ１１の構成例を示す。書籍識別番号、題名、著者、編集者、出版社、版、価格、発行日等が記録されている。書籍識別番号として、ＩＳＢＮを用いるのが望ましいが、その他の識別コードを用いても良い。
【００６２】
次に、読者所持書籍登録サーバ９は、認証者用端末１４の表示画面に登録ボタンを表示する。登録ボタンをクリックすると（ステップＳ３６）、読者所持書籍登録ＤＢ１０に本登録する内容として、表示画面に、読者情報ＤＢ３からユーザ登録番号、読者氏名が読み出され（入力された場合）、書籍ＤＢ１１から、書籍識別番号、題名、著者、編集者、出版社が読み出され、認証者ＤＢ１２から認証者番号、認証者（店名、代表者）が読み出され、読者所持書籍登録サーバ９から付与された書籍所持本登録番号、証明書発行日と共に表示され、確認を求められる。証明書発行日には、書籍所持証明書が発行される日となる登録ボタンをクリックした当日が表示される。
【００６３】
図９に読者所持書籍登録ＤＢ１０の構成例を示す。認証者が確認を行い、確認ボタンをクリックすると、表示画面の内容が読者所持書籍登録ＤＢ１０に記録、すなわち本登録される（ステップＳ３７）。なお、証明書使用済日欄が追加され、書籍所持証明書を使用してＤＣの購入が行なわれた際、例えばＤＣがダウンロードされた日が記入されるもので、同一書籍所持証明書に対する特典処置の二重使用を防止するためのものである。
【００６４】
次に、読者所持書籍登録サーバ９は書籍所持証明書発行手段１３を用いて書籍所持証明書を作成する（ステップＳ３８）。
【００６５】
図１０に書籍所持証明書の例を示す。書籍所持本登録番号、証明書発行日、書籍識別番号、題名、著者、出版社、認証者、貴者が書籍の所持をしていることを証明する（当該書籍所持本登録番号で本登録されている）旨が、表示されている。これらの情報は定型表示を除いて全て読者所持書籍登録ＤＢ１０に記録されているので、読者所持書籍登録ＤＢ１０のみのデータを用いて作成できる。
【００６６】
次に、読者所持書籍登録サーバ９は、通信ネットワーク５を介して認証者用端末１４に書籍所持証明書を電子メールに添付して送信し（ステップＳ３９）、認証代理人は認証者用端末１４に接続された第２の出力手段１８に書籍所持証明書を出力する（ステップＳ５）。第２の出力手段１８がプリンタの場合、認証代理人は、出力された書籍所持証明書に認証印を押印又は署名すると共に、読者が持参した書籍の所定の位置（例えば裏表紙内側の余白位置）に認証印を押印するか又は署名する（ステップＳ６）。次に、読者は認証印が押印された又は署名された書籍所持証明書と持参した書籍を受け取る（ステップＳ７）。また、第２の出力手段がＩＣカードライターの場合は、書籍所持証明書に電子押印又は電子署名を施してＩＣカードに書き込み、読者に渡す。また、認証代理人は認証者用端末１４に送信された書籍所持証明書に電子押印又は電子署名を施して、読者用端末６に電子メール添付資料として送信しても良い。
【００６７】
１つの所持書籍について１書籍所持証明書を保証することが重要である。このため、１つの所持書籍について１つの書籍所持本登録番号を対応させる。すなわち、書籍所持本登録番号の重複採番を禁止し、二重登録を防止する。読者が所持する書籍に認証者が押印又は署名するのは、当該書籍が本登録されていることを確認できるようにするためと二重登録を防止するためである。また、読者が所持した書籍を認証者が未認証であることを目視チェックで確認するのも二重登録を防止するためである。また、１つの書籍所持本登録番号について１つの書籍所持証明書しか発行しないようにするため、読者所持書籍登録ＤＢ１０に証明書発行日欄を設けて、発行済を確認できるようにし、また、書籍所持証明書を１度しか使用できないように、読者所持書籍登録ＤＢ１０に証明書使用済日欄を設けて、使用済を確認できるようにしている。さらに、証明書発行日欄や証明書使用済日欄が空欄の場合以外は、自動的に書籍所持証明書の発行を禁止し、特典を実施するための処理を禁止しても良い。さらに、書籍所持証明書には電子すかし等のコピーを禁じる処理がされていることが好ましい。
【００６８】
書籍所持証明書を受理した読者は、書籍所持登録された書籍と対応関係にあるＤＣが発行済の場合には、購入申込手続を行なうことにより直ちに当該ＤＣを入手できる。割引購入等の特典が付与されていれば、確実に特典を享受できる。したがって、対応関係にあるＤＣが存在するものについて本実施の形態における書籍所持認証登録システムを利用するのが効果的であるが、ＤＣ化されていない書籍についても本登録を行なう。これにより、ＤＣの配信業者や出版業者にとってＤＣ化のニーズ発掘に役立ち、読者にとっても希望のＤＣを早く入手できる可能性が開かれる。さらに、書籍所持証明書を付与する読者にＤＣ作成希望アンケートを行ない、需要予測に用いても良い。
【００６９】
図１１に、書籍所持登録された書籍と対応関係にあるＤＣが発行され、それを購入する場合の手順を示す。ＤＣが発行されると（ステップＳ１１）、デジタルコンテンツ配信業者から当該ＤＣに対応関係にある書籍を本登録した読者用端末６に通信ネットワーク５を介して発行の通知がＥメールにより送信され（ステップＳ１２）、読者は通知を受信する（ステップＳ１３）。会員登録が未だされていない読者に対しては、デジタルコンテンツ配信業者のホームページにＤＣ発行の案内を掲載する。したがって、未登録の読者は上記ホームページからＤＣの発行を知ることができる。
【００７０】
読者は読者用端末６から通信ネットワーク５及びデジタルコンテンツ配信業者のホームページを介してコンテンツ管理サーバ１にアクセスする。購入申込する場合には、会員登録をする必要がある。会員登録済みの読者はＤＣのリストや書誌情報（抄録を含む）を参考に購読したいＤＣを抽出し、購入申込チェックボックスにチェックを入れ、送信ボタンをクリックすることにより、通信ネットワーク５を介して配信すなわち購入（発売前の場合には予約）の申し込みをする（ステップＳ１４）。購入申込の画面には、書籍所持本登録番号を入力する欄が表示されている。書籍所持の本登録を行っていることを意志表示するために、読者は書籍所持本登録番号を購入申込に併せて入力する。
【００７１】
コンテンツ管理サーバ１は購入申込を受信する（ステップＳ１５）と、読者の氏名、住所、銀行口座番号またはクレジットカード番号、書籍識別番号、購入申込に係るＤＣの題名、価格等が掲載された確認画面が読者用端末６に表示される。また、書籍所持本登録番号が読者所持書籍登録サーバ９で受信され、読者所持書籍登録サーバ９は、購入申込されたＤＣ及び購入申込の際に提示された書籍所持本登録番号を読者所持書籍登録ＤＢ１０に記録された書籍情報及び書籍所持本登録番号と照合して（ステップＳ１６）、照合結果が一致していることが認められると、購入申込に係るＤＣが本登録されている旨をコンテンツ管理サーバ１に通知する。また、本登録時にユーザ登録番号を入力していなかった場合には、読者情報ＤＢ３からユーザ登録番号が読み出され、読者所持書籍登録ＤＢ１０の書籍所持本登録番号が一致するレコードにユーザ登録番号が書き込まれる。なお、書籍所持本登録番号が入力されなくてもユーザ登録番号と購入申込に係るＤＣを読者所持書籍登録ＤＢ１０の対応データと照合すれば、当該読者により対応関係にある書籍が本登録されているか確認可能であるが、本実施の形態ではシステムの信頼性保持のため書籍所持本登録番号を読者に必ず入力してもらうこととする。本登録されている場合、コンテンツ管理サーバ１は当該ＤＣの価格に割引価格を適用し、表示画面には減額計算した後の価格が表示される（ステップＳ１７）。なお、価格割引以外の特典を付与しても良い。具体的には、割引額相当のクーポンポイント付与などを組み合わせることが可能である。
【００７２】
読者は確認ボタンをクリックし、ダウンロード先のフォルダを指定すると、当該ＤＣがデジタルコンテンツＤＢ２から抽出され（ステップＳ１８）、コンテンツ管理サーバ１から当該フォルダにダウンロードされる（ステップＳ１９、Ｓ２０）。ダウンロードされると、配信管理ＤＢ４に当該ＤＣに係る書誌情報と配信日が記録され、読者所持書籍登録データベース１０に、当該ＤＣに係る書籍所持証明書の使用済み処理として、証明書使用済日が記録される（ステップＳ２１）。また、読者に所定の期日までに（料金支払日前に）書籍所持証明書を送付するよう依頼する依頼文が表示画面に表示される。
【００７３】
ダウンロード後（前でも良い）、読者は書籍所持証明書をデジタルコンテンツ配信業者に送付する（ステップＳ２２）。書籍所持証明書の送付は、印刷物の場合は郵送が基本となるが、ＩＣカード受信、またはオンライン受信の場合は、その情報をオンラインで送信することも可能である。配信業者は書籍所持証明書を受理すると（ステップＳ２３）、読者所持書籍登録ＤＢ１０を参照して、本登録されていること及び使用済処理がされていることを確認し、当該読者に配信する価格を減額（割引）計算して、料金を徴収する。読者にデジタルコンテンツ名、銀行口座からの減額された引き落とし価格、引き落とし日等が記載され、領収印が押印された利用明細書が送付され（ステップＳ２４）、読者はこれを受理する（ステップＳ２５）。また、デジタルコンテンツ配信業者が所定の期日までに書籍所持証明書を受理しなかった時は、催促を行い、それでも受理しなかった時は、減額計算されない価格で処理される。
【００７４】
以上により、読者は自己が所持する書籍について書籍所持の本登録を行なうことにより、当該書籍に係るＤＣを購入する場合に、割引料金で購入できる特典を受けられる。また、かかる特典の供与によりＤＣの販売促進が期待される。
【００７５】
［第２の実施の形態］
次に、第２の実施の形態として、本登録の前に仮登録を行う例を説明する。本登録を行なうには書店等の認証代理人のところまで書籍を持参等しなければならず、これを面倒に思う読者もいるかもしれない。そこで、本実施の形態に係る書籍所持認証登録システムでは、読者に後日、本登録を行なうことを条件に仮登録を認める例を説明する。
【００７６】
読者書籍所持登録システムの構成及びデジタルコンテンツ配信システムの構成は図１及び図２に示すものと同じであるが、機能的には仮登録の機能が追加されている。また、仮登録を行うために通信ネットワーク５に読者用端末６が必ず接続されている。また、書籍所持認証登録システムは書籍所有証明機関が管理し、デジタルコンテン配信システムはデジタルコンテンツ配信業者が管理するものとする。第１の実施の形態と同じ部分については、同一の符号を付して説明を省略する。
【００７７】
図１２に読者所持書籍の仮登録手続の手順を示す。なお、読者は仮登録をする前に会員登録をしておく必要がある。本実施の形態においても、簡単のため、書籍所持認証登録システムとデジタルコンテンツ配信システムで共通の会員登録が可能で、ユーザ登録番号、パスワードを共通として説明する。読者は読者用端末６から通信ネットワーク５、書籍所有証明機関のホームページを介して、読者所持書籍登録サーバ９にアクセスする（ステップＳ４１）。ユーザ登録番号とパスワードを入力すると、読者所持書籍登録サーバ９は読者情報ＤＢ３と照合する（ステップＳ５３）。照合の結果、読者本人であることが認められると、パーソナルコンピュータ端末６に、読者所持書籍の仮登録するための画面が表示される。
【００７８】
書籍所持の仮登録（ステップＳ４２）の手順をステップＳ５４〜Ｓ５７に示す。まず、仮登録対象書籍に関する情報の入力を求められる。仮登録対象書籍に関する情報として、書籍識別番号を入力する。書籍識別番号が不明の時は、題名、著者、編集者、出版社、版、発行日等を入力する（ステップＳ５４）。書籍の内容を識別する第２の書籍識別情報として、ＩＳＢＮ等の書籍識別番号を用いるのが望ましいが、不明な場合には、題名と著者の組み合わせ、或いは題名、著者と出版者との組合せを第２の書籍識別情報に該当すると見なしても良く、書籍の内容を特定できれば良い。読者所持書籍登録サーバ９は、入力された書誌情報を受信し、受信された書誌情報と書籍ＤＢ１１に記録された書誌情報とを照合して（ステップＳ５５）、同じ書籍の情報が既に記録されていれば、これと同一の書籍識別番号を付与し、記録されていなければ、新たな書籍識別番号を付与する。書籍識別番号が書籍の内容を識別する第１の識別情報に該当する。第１の書籍識別番号として、ＩＳＢＮを用いるのが望ましいが、その他の識別コードを用いても良い。
【００７９】
次に、読者所持書籍登録サーバ９は、読者用端末６の表示画面に登録ボタンを表示する。登録ボタンをクリックすると（ステップＳ５６）、読者所持書籍登録ＤＢ１０に仮登録する内容として、表示画面に、読者情報ＤＢ３からユーザ登録番号、読者氏名が読み出され、書籍ＤＢ１１から、書籍識別番号、題名、著者、編集者、出版社が読み出され、読者所持書籍登録サーバ９から付与された書籍所持仮登録番号、仮証明書発行日と共に表示され、確認を求められる。仮証明書発行日には、書籍所持仮証明書が発行される日になる登録ボタンをクリックした当日が表示される。書籍所持本登録番号と書籍所持仮登録番号は例えばイニシャルの記号をＨ，Ｋのように区別すれば良い。読者が確認を行い、確認ボタンをクリックすると、これらの内容が読者所持書籍登録ＤＢ１０に記録、すなわち仮登録される（ステップＳ５７）。以上のように、仮登録のステップＳ５３〜Ｓ５７は本登録のステップＳ３３〜Ｓ３７とほぼ同様であり、認証者がおらず、したがって認証印がないこと、仮登録は会員登録を前提とすることを除けば表現に「仮」がつくことが異なる位である。
【００８０】
次に、読者所持書籍登録サーバ９は書籍所持証明書発行手段１３を用いて書籍所持仮証明書を作成する（ステップＳ５８）。書籍所持仮証明書は書籍所持証明書に比して、書籍所持証明書、書籍所持本登録番号、証明書発行日、認証者に仮が付き、仮認証者が書籍所有証明機関になっている（ただし押印の欄がない）、当該書籍所持仮登録番号で仮登録されている旨が表示されていることを除いて、書籍所持証明書と同様である。
【００８１】
次に、読者所持書籍登録サーバ９は、通信ネットワーク５を介して読者用端末６に書籍所持仮証明書を電子メールに添付して送信し（ステップＳ５９）、読者は読者用端末６で書籍所持仮証明書を受信し（ステップＳ４３）、これを自己のフォルダに保存できる。
【００８２】
ＤＣを購入する場合の手続は、本登録の場合の手続とほぼ同様である（図１１参照）。ただし、ＤＣ購入申込（ステップＳ１４）の前に、書籍所持の本登録の手続（ステップＳ２６）をしておく必要がある。本登録の手続で、読者のユーザ登録番号、氏名の入力を行う（ステップＳ３２）際の表示画面に、書籍所持仮登録番号を入力する欄が表示され、読者のユーザ登録番号、氏名と共に書籍所持仮登録番号を入力すれば、登録対象書籍は特定されるので、登録対象書籍に関する情報を再度入力する必要はない。すなわち、読者所持書籍登録ＤＢ１０に本登録する内容を確認するだけで良い。また、書籍所持仮証明書の使用済処理は、本登録の際に、読者所持書籍登録ＤＢ１０の証明書使用済日欄に書籍所持証明書の証明書発行日を記入する。この記入は書籍所持証明書の証明書発行日記入に自動リンクして行なわれるようにするのが好ましい。また、読者所持書籍登録ＤＢ１０と照合（ステップＳ１６）した後、表示画面には減額計算した後の価格を表示する（ステップＳ１７）時に、本登録の手続を促すメッセージが併せて表示される。
【００８３】
読者は自己が所持する書籍８について書籍所持の仮登録を行なうことにより、当該書籍に係るＤＣを購入する場合に、所定の期日までに本登録を行うことを条件として、割引料金で購入できる特典を受けられる。
【００８４】
［第３の実施の形態］
次に、本発明による第３の実施の形態として、読者が書籍所有証明機関に自己が所持する書籍をまとめて送付し、書籍所有証明機関が読者所持書籍登録サーバ９から本登録と認証を行う例について説明する。また、書籍所持認証登録システムは書籍所有証明機関が管理し、デジタルコンテン配信システムはデジタルコンテンツ配信業者が管理するものとする。本実施の形態においても、簡単のため、書籍所持認証登録システムとデジタルコンテンツ配信システムで共通の会員登録が可能で、ユーザ登録番号、パスワードを共通として説明する。第１の実施の形態と同じ部分については、同一の符号を付して説明を省略する。
【００８５】
読者書籍所持登録システムの構成及びデジタルコンテンツ配信システムの構成は図１及び図２に示すものとほぼ同じであるが、図１の読者所持書籍登録サーバ９に第１の入力手段１７と第１の出力手段１８が接続される。第１の入力手段１７は必ず接続される。また、図１の通信ネットワーク５に必ずしも認証者用端末１４が接続されている必要はない。
【００８６】
図１３に読者所持書籍の本登録手続の手順を示す。図６の手順と似ているので、異なる点のみを説明する。認証者が書籍所有証明機関である点が異なる。
【００８７】
まず、読者は自己が所持する書籍８をまとめて書籍所有証明機関に送付し、本登録を依頼する（ステップＳ６０）。書籍所有証明機関は書籍を受理した（ステップＳ６１）後、読者が所持した書籍が未認証の書籍であることを目視チェックで確認する（ステップＳ６２）。次に書籍所有証明機関は、書籍所持証明書の取得手続きを実行する。まず、読者所持書籍登録サーバ９にアクセスする（ステップＳ６３）。アクセスの際に認証者登録番号とパスワードの入力を求められる。書籍所有証明機関は固有の認証者登録番号とパスワードを持っている。ステップＳ６４〜Ｓ６６は図６のステップＳ４〜Ｓ６とほぼ同じであり、ステップＳ７１〜Ｓ７８は図６のステップＳ３１〜Ｓ３８とほぼ同じである。ただし、これらの手順中、入力は読者所持書籍登録サーバ９に接続された第１の入力手段１５から行い、出力は読者所持書籍登録サーバ９に接続された第１の出力手段１６に行なわれる。また、読者所持書籍登録サーバ９と読者用端末や認証者用端末との間での送受信がない。第１の出力手段１６がプリンタの場合、書籍所有証明機関は出力された書籍所持証明書と書籍に認証印を押印した又は署名した（ステップＳ６６）後に、読者に認証印が押印された又は署名された書籍所持証明書と書籍をまとめて送付し（ステップＳ６７）、読者はこれを受理する（ステップＳ６８）。第１の出力手段１６がＩＣカードライターの場合は、書籍所持証明書に電子押印又は電子署名をしてＩＣカードに出力し、これを読者に送付する。また、電子押印又は電子署名をして読者用端末６に電子メールの添付資料として送信しても良い。読者にとって、認証代理人のところに書籍を持参する必要がなく、かつまとめた処理ができるので便宜であり、書籍所有証明機関にとっても、まとめて認証と本登録ができるので便宜である。
【００８８】
［第４の実施の形態］
次に、本発明による第４の実施の形態として、読者が認証代理人に自己が所持する書籍をまとめて送付し、認証代理人が認証者用端末１４から本登録と認証を行う例について説明する。この場合、読者書籍所持登録システムの構成及びデジタルコンテンツ配信システムの構成は図１及び図２に示すものと全く同じである。処理での差異は、読者が認証代理人に自己が所持する書籍をまとめて送付し、認証代理人がこれを受理する点と、認証代理人が読者に認証印が押印された又は署名された書籍所持証明書と書籍をまとめて送付し、読者はこれを受理する点位である。また、書籍所持証明書をプリンタで出力しても良く、電子認証を用いればＩＣカードライターに出力しても良く、読者用端末６に電子メールの添付資料として送信しても良い。第３の実施の形態と同様に、読者にとって、認証者のところに書籍を持参する必要がなく、かつまとめた処理ができるので便宜であり、配信業者にとっても、まとめて認証と本登録ができるので便宜である。
【００８９】
本発明は、書籍所持認証登録方法又はデジタルコンテンツ配信方法を、コンピュータに実行させるためのプログラム又は当該プログラムを記載したコンピュータ読み取り可能な記録媒体としても実現できる。プログラムは、例えば、ＲＯＭやＰＲＯＭのような記録媒体に記録してコンピュータに組み込んで使用しても良く、フレキイシブルディスクやＣＤ−ＲＯＭのような記録媒体に記録し、コンピュータに読み込んで使用しても良く、内蔵または外付けの磁気ディスクや光磁気ディスクのような記録媒体に記録し、コンピュータに読み込んで使用しても良く、また通信ネットワークに接続されたサーバから提供できるようにし、これをコンピュータにダウンロードして使用しても良い。これらの記録媒体からコンピュータにプログラムを読み込ませることにより、コンピュータを書籍所持認証登録システムのサーバ、又はデジタルコンテンツ配信システムのサーバとして機能させることができる。
【００９０】
以上本発明による実施の形態について説明したが、本発明の趣旨を逸脱しない範囲で実施の形態に変更を加えられることは明白である。
例えば、上記本実施の形態では、書籍所持認証登録システムとデジタルコンテンツ配信システムとを別個に構成する例を挙げたが、書籍所持認証登録システムをデジタルコンテンツ配信システムの一部とし、読者所持書籍登録サーバの機能をコンテンツ管理サーバが兼ね備えるように構成しても良い。このように構成すると、デジタルコンテンツ配信システムの中に、書籍所持認証登録システムの機能を取り込んでいるので、両システムでデータを共用でき、登録から配信までの一貫した処理が可能になる。
【００９１】
また、書籍所持認証登録システムは書籍所有証明機関が管理し、デジタルコンテン配信システムはデジタルコンテンツ配信業者が管理するとして説明したが、デジタルコンテンツ配信業者が両方を管理する場合が多いと想定され、それでも良い。また、デジタルコンテンツ配信業者以外のもの、例えば出版業者が書籍所有証明機関として、書籍所持認証登録システムを管理しても良い。この場合は書籍所持認証登録システムとデジタルコンテンツ配信システムは別個に構成されるであろうし、相互にシステムにアクセスする場合に、会員登録、ユーザ登録番号、パスワードの使用のしかたを定めておく必要があろう。
【００９２】
また、書籍所有証明機関は自らも認証者用端末を有し、これを通信ネットワークに接続して認証と本登録を行っても良い。
また、ＤＣの購入申込時に、読者に書籍所持本登録番号又は書籍所持仮登録番号を入力してもらう場合に、コンテンツ管理サーバが読者のユーザ登録番号をキーに読者所持書籍登録ＤＢを参照して、当該読者について登録（本登録、仮登録）された書籍に対応関係にあるＤＣのリストを表示しても良い。このようにすると、読者は自分が登録した書籍に対応関係にあるＤＣをもれなく把握でき、購入申込の促進につながることが期待される。
【００９３】
また、減額する書籍の範囲拡大の程度や額はデジタルコンテンツ配信業者が時と事情に応じて変更可能である。また、対応関係がある全てのＤＣについて減額する必要はない。例えば題名と著者が一致する場合に減額するが、題名だけが一致し著者が異なる場合は減額しなくても良い。また、キャンペーン時には対応関係を題名が一致すれば良いとし、通常は著者も一致しなければならないというように定めることもできる。また、減額（割引）の条件を種々定めることも可能である。
【００９４】
また、認証代理人にも、認証した書籍に対応関係にあるＤＣの価格の一部を手数料として支払う等の利益を供与しても良い。これにより認証の確実性が期待される。この場合、仮登録後の本登録については、通常の本登録に比して安価な手数料が設定される。また、本登録又は仮登録された書籍に係るＤＣの価格を表示する際に、減額した価格だけでなく、元の価格も併記して表示しても良い。また、各ＤＢの項目は実施の形態の例に限られず、例えば、書籍ＤＢや読書所持書籍登録ＤＢにジャンル欄を設けて、ジャンル別の集計や分析ができるようにしても良い。また、登録や配信の手順についても実施の形態の例に限られず、例えば、図１１でＤＣの抽出（ステップＳ１８）を減額計算（ステップＳ１７）の前にしても良い。また、仮登録後、本登録を行なう工程を購入申込前に限らず、書籍所有証明機関及び配信業者の裁量によりＤＣ配信後に行なうことも可能である。この場合には書籍所持証明書を受理し、確認した後、料金徴収に反映されることとなる。
【００９５】
【発明の効果】
以上説明したように、本発明の書籍所持認証登録システム及び方法によれば、読者が書籍を所持していることを証明し、登録する仕組みを提供することができる。また、本システムの登録データから、コンテンツプロバイダー（出版業者、出版物流通業者など）が読者の嗜好やニーズに関する情報を入手し、ＤＣコンテンツ出版の参考とすることができる。
また、本発明のデジタルコンテンツ配信システム及び方法によれば、既刊書籍を購入済みの読者が、該書籍に対応関係にあるＤＣを購入する際に割引購入等の特典を受けられるようにする仕組みを提供できる。
【図面の簡単な説明】
【図１】本発明の第１の実施の形態における書籍所持認証登録システムの構成を示す図である。
【図２】本発明の第１の実施の形態におけるデジタルコンテンツ配信システムの構成を示す図である。
【図３】デジタルコンテンツＤＢの書誌情報部分の構成例を示す図である。
【図４】読者情報ＤＢの構成例を示す図である。
【図５】配信管理ＤＢの構成例を示す図である。
【図６】本発明の第１の実施の形態における読者所持書籍の本登録手続の手順を示す図である。
【図７】認証者ＤＢの構成例を示す図である。
【図８】書籍ＤＢの構成例を示す図である。
【図９】読者所持書籍登録ＤＢの構成例を示す図である。
【図１０】書籍所持証明書の例を示す図である。
【図１１】本発明の第１の実施の形態において、書籍所持登録されたデジタルコンテンツが発行され、それを購入する場合の手順を示す図である。
【図１２】本発明の第２の実施の形態における読者所持書籍の仮登録手続の手順を示す図である。
【図１３】本発明の第３の実施の形態における読者所持書籍の本登録手続の手順を示す図である。
【符号の説明】
１    コンテンツ管理サーバ
２    デジタルコンテンツＤＢ
３    読者情報ＤＢ
４    配信管理ＤＢ
５    通信ネットワーク
６    読者用端末
７    個人図書館
８    読者が所持する書籍
９    読者所持書籍登録サーバ
１０  読者所持書籍登録ＤＢ
１１  書籍ＤＢ
１２  認証者ＤＢ
１３  書籍所持証明書発行手段
１４  認証者用端末
１５  第１の入力手段
１６  第１の出力手段
１７  第２の入力手段
１８  第２の出力手段
【図１】
2004348296.tif 000003
【図２】
2004348296.tif 000004
【図３】
2004348296.tif 000005
【図４】
2004348296.tif 000006
【図５】
2004348296.tif 000007
【図６】
2004348296.tif 000008
【図７】
2004348296.tif 000009
【図８】
2004348296.tif 000010
【図９】
2004348296.tif 000011
【図１０】
2004348296.tif 000012
【図１１】
2004348296.tif 000013
【図１２】
2004348296.tif 000014
【図１３】
2004348296.tif 000015